(57)【要約】【課題】肌着等の柔らかい商品を形よく皺にならないように包装するために用いた台紙等の、補助的に用いられていた包装補助部材の使用をなくし、かつ、主たる包装用材として使用した部材も、廃棄することなく、そのまま他の用途に再利用することを可能とする。【解決手段】垂直にした状態でその形状を保持できる強度のある矩形の合成樹脂シートを重ね合わせ、重ね合わせた合成樹脂シートの３辺を一体化し残余の一辺を開口部とした袋体となし、開口部には封緘手段を設けると共に、一方の合成樹脂シートの一面に、前記袋体の底面と一方の側辺とを含んだ範囲にクリアファイルの輪郭線を画いた包装用部材である。輪郭線に鋏を入れ縁部を切り捨て残余をクリアファイルとする。【選択図】図１
0003156009.tif 000002
【実用新案登録請求の範囲】
【請求項１】
垂直にした状態でその形状を保持できる強度のある矩形の合成樹脂シートを重ね合わせ、重ね合わせた合成樹脂シートの３辺を一体化し残余の一辺を開口部とした袋体となし、開口部には封緘手段を設けると共に、一方の合成樹脂シートの一面に、前記袋体の底面と一方の側辺とを含んだ範囲にクリアファイルの輪郭線を画いたことを特徴とする肌着等の柔軟性商品包装用部材。
【請求項２】
重ね合わせた合成樹脂シートの、一方のシートの上部に舌片状切込を設け、舌片状切込に対向する位置の他方のシートには、前記舌片状切込を挿入するスリットを穿設してなる封緘手段を設けたことを特徴とする請求項１記載の肌着等の柔軟性商品包装用部材。
【請求項３】
封緘手段として、重ね合わせたシートよりなる袋体の上部開口部に互に嵌合するスナップ釦を設けたことを特徴とする請求項１記載の肌着等の柔軟性商品包装用部材。
【請求項４】
重ね合わせた合成樹脂シートは、２枚の合成樹脂シートを重ねたものである請求項１記載の肌着等の柔軟性商品包装用部材。
【請求項５】
重ね合わせた合成樹脂シートは、１枚のシートを２つ折りとしたものである請求項１記載の肌着等の柔軟性商品包装用部材。 
【考案の詳細な説明】
【技術分野】
【０００１】
本考案は、肌着等の衣料品，タオル等の布製身の回り品等を展示し販売する際にそれら商品が折れ曲がり或は皺が生じたりすることなく展示することを可能にした商品包装部材に関する。
【背景技術】
【０００２】
シャツ等の肌着類やパンティストッキング，ハンカチ等の柔軟性を有する製品を展示販売する際には、通常、それら商品に台紙を当てがい、台紙をくるむようにして、商品を折り畳み、これを外装袋或は箱等に入れて陳列し販売している（特許文献１，２参照）。そして、更に商品の形態をより一層目立たせるために、台紙を体形に添ったような立体的な形とし、三次元的に凹凸を生ぜしめて被服等に膨らみを持たせ皺の発生を防ぐようにしたもの（特許文献３参照）、或は、靴下などの小物の包装にあっては、商品を巻き付けた台紙の側縁を折り曲げて側壁部材とし、該側壁部材を包装箱の内壁に沿わせて箱内に挿入するようにしたもの（特許文献４参照）などが知られている。
【０００３】
然し、上記包装用部材は、商品を袋或は箱体内に保持している販売ルートに乗っているときにのみ必要であり、その商品が販売され使用される際には箱或は袋等は全く必要のないものであり廃棄されることになる。
【先行技術文献】
【特許文献】
【０００４】
【特許文献１】実開昭６３−１８０５７２号公報
【特許文献２】実公平６−２１８０８号公報
【特許文献３】特開２００２−２８４２６９号公報
【特許文献４】実開平６−５３４８９号公報
【考案の概要】
【考案が解決しようとする課題】
【０００５】
本考案は上記の点に鑑みて、肌着等の柔らかい商品を形よく皺にならないように包装するために用いた台紙等の、補助的に用いられていた包装補助部材の使用をなくし、かつ、主たる包装用材として使用した部材も、廃棄することなく、そのまま他の用途に再利用することを可能とすることを目的としている。
【課題を解決するための手段】
【０００６】
請求項１記載の考案は、垂直にした状態でその形状を保持できる強度のある矩形の合成樹脂シートを重ね合わせ、重ね合わせた合成樹脂シートの３辺を一体化し残余の一辺を開口部とした袋体となし、開口部には封緘手段を設けると共に、一方の合成樹脂シートの一面に、前記袋体の底面と一方の側辺とを含んだ範囲にクリアファイルの輪郭線を画いた包装用部材である。
請求項２記載の考案は、請求項１記載の包装用部材において、封緘手段として重ね合わせた合成樹脂シートの一方のシートの上部に舌片状切込を設け、舌片状切込に対向する位置の他方のシートには、前記舌片状切込を挿入するスリットを穿設している。
請求項３記載の考案は、請求項１記載の包装用部材において、重ね合わせたシートよりなる袋体の上部開口部に封緘手段として互に嵌合するスナップ釦を設けている。
請求項４記載の考案は、２枚の合成樹脂シートを重ねたシートを重ね合わせた合成樹脂シートとしている。
請求項５記載の考案は、１枚のシートを２つ折りとした合成樹脂シートを、重ね合わせた合成樹脂シートとしている。
【考案の効果】
【０００７】
本考案の柔軟性商品包装用部材は、例えば下着等を２枚の強度のある合成樹脂シートで挟む形でディスプレイをすることになるので、内容の商品は柔軟性のものであるにかかわらず、パッケージとなる合成樹脂シートが垂直にした状態で型崩れの無い起立性を発揮するために、折り畳んだ下着類を台紙などに挟むようなことをせずとも、その畳んだ形状を乱すことなく商品展開が行えることになる。
従って、台紙の如き商品の捕形上使用されている素部材は全く必要がなくなり廃棄物の発生を防ぐことが出来る。
【０００８】
また、合成樹脂シートには商品取出し後、再利用するため、例えばクリアファイルの輪郭線などが画かれているので、それに沿って合成樹脂シートを切断すれば、そのままクリアファイルとして使用することが出来、省資源にも役立つことになる。
【図面の簡単な説明】
【０００９】
【図１】本考案柔軟性商品包装用部材の第１の例の正面図。
【図２】Ａは図１に示す包装用部材の舌片部分の拡大正面図、Ｂは前記Ａの断面図。
【図３】本考案柔軟性商品包装用部材の第２の例の正面図で被包装品を内装した状態を示す。
【考案を実施するための形態】
【００１０】
本考案を実施するための形態を図面と共に次に説明する。
本考案の肌着等柔軟性商品包装用部材１は強度のある矩形の合成樹脂シート２を用いた袋体３よりなるもので、袋体３を構成する手段として次に２つの例を示す。
【００１１】
第１の例（図１に示す）
同一の形状をした矩形の合成樹脂シート２ａ，２ｂを２枚用いる。２枚の矩形の合成樹脂シート２ａ，２ｂは、後述する如く、内部に商品Ｆを収容している状態でそれを立ててディスプレイした場合に、商品Ｆの重量等によりディスプレイした展示商品が２つ折れに折れ曲がったり或は皺になったりすることがないような強度を有するものとし、材質としてポリエステル，ポリプロピレンなどの水を通さない合成樹脂であれば特に限定しない。厚さは０．１mm以上好ましくは０．１５mm以上のものが満足できる。
【００１２】
上記矩形の合成樹脂シート２ａ，２ｂを一体化する手段として接着，溶接等適宜固定手段７が用いられているが、これらを任意に選択し、矩形の合成樹脂シート２ａ，２ｂの底辺４及び両側辺５，６を一体化する。一体化しない一辺８は袋体３の開口部９とする。
【００１３】
開口部９には、袋体を閉じるための封緘手段１１を設ける。封緘手段１１の１つの例としてディスプレイ時に商品Ｆの後面側に位置する合成樹脂シート２ｂに舌片状切込１２を設けた例について説明する。袋体３上部の重ね合わせた合成樹脂シートの一方のシート、例えば袋裏面側に位置するシート２ｂの上部に舌片状切込１２を設け、該舌片状切込１２に対向する位置の袋表面側に位置するシート２ａには前記舌片状切込１２を挿入するスリット１３を穿設し、袋体３内に商品を入れてから、袋裏面側の樹脂シート２ｂに設けている舌片状切込１２を表側の合成樹脂シート２ａのスリット１３に挿入することで開口部９を閉じることが出来るようにしている。
【００１４】
また、封緘手段１１の他の例を次に示す。
合成樹脂シート２ａ，２ｂの開口部９に位置して、前記合成樹脂シート２ａ，２ｂの対向する面にスナップ釦１４を設けたものもある。
【００１５】
第２の例（図２に示す）
上述の第１の例は、袋体３を構成する際に２枚の同形の矩形の合成樹脂シート２ａ，２ｂを重ね、重ね合わせた底辺４と両側辺５，６とを接着，溶接等して上部に開口部９を有する袋体３としているが、第２の例では第１の例の倍の大きさの１枚の合成樹脂シートを山折り１６にして使用することで溶接辺を底辺４の１個所と少なくしている。底辺４から立ち上がる側辺６，開口部９，封緘手段１１等は第１の例と同様にしている。
【００１６】
本考案の柔軟性商品包装用部材１には、商品販売後の包装用部材の廃物利用の手段として、商品を封入していた透明な合成樹脂シートを文房具のクリアファイルとして利用することが出来るように工夫されている。
即ち、商品を取り出した後に残る袋体３は、２枚重ねとして開口部９を除く３つの辺、即ち底辺４、側辺５，６が表裏シート２ａ，２ｂにおいて一体に接着或はその他手段により一体となっているので底辺４及び底辺４と交差する側辺５，６のいずれかを残して周縁を削除すればそのままラップファイルとすることが出来る。そこで、予めラップファイルにする際の大きさを決定しておいて、その輪郭線１５を袋体に記載しておく。
【００１７】
上記説明した第１，第２の例と共に側辺５，６において山折れ１６或は接着１０等の手段で表裏の樹脂シート２ａ，２ｂを一体にしているが、その際に襠部材を使用することは無い。襠部材を使用すれば、襠部の袋体の厚味などは大きくなり袋体の容量が増加するが、その分ゆとりが生じ肌着等商品を袋体３に入れた際に商品が動き易くなり、袋内で商品が移動し或は皺が生じたりする欠点が生ずる。
そのため襠は設けず商品が締め付けられるが如き状況に置いている。
【符号の説明】
【００１８】
１  柔軟性商品包装用部材
２ａ，２ｂ  矩形の合成樹脂シート
３  袋体
４  底辺
５，６  側辺
７  固定手段
８  一体化しない一辺
９  開口部
１０  接（溶）着
１１  封緘手段
１２  舌片状切込
１３  スリット
１４  スナップ釦
１５  輪郭線
１６  山折れ
Ｆ  商品 
【図１】
0003156009.tif 000003
【図２】
0003156009.tif 000004
【図３】
0003156009.tif 000005